(57)【特許請求の範囲】
【請求項１】
携帯電話機のデコレーションメール用のテンプレートの作成装置において、
複数の画像、写真の少なくとも１つを保存する画像フォルダと、
Ｅメールの本文に画像、写真、文字挿入図形、文字図形の少なくとも１つのサンプルレイアウトを設定するためのサンプルレイアウト設定部と、
前記画像フォルダから読み出し表示した複数の画像、写真から選択した画像、写真の少なくとも１つを前記サンプルレイアウトに設定する画像設定部と、
前記画像設定部でサンプルレイアウトに設定された画像、写真の少なくとも１つを装飾し、さらに、サンプルレイアウトに設定された文字挿入図形に入力文章を挿入し、サンプルレイアウトに取り込まれた入力文章を図形文字に変換して装飾するサンプル装飾設定部と、
前記サンプル装飾設定部で装飾した画像、写真、文字挿入図形、図形文字の少なくとも１つをデコレーションテンプレートとして保存し、Ｅメールの本文として送信するためのデコレーションテンプレート保存部とを備えることを特徴とする、携帯電話機のデコレーションメール用のテンプレートの作成装置。
【請求項２】
前記サンプル装飾設定部では、前記画像設定部で設定された画像、写真の少なくとも１つの装飾として額縁の装飾、円形、五角形、球面の少なくとも１つを含む変形の装飾、写真の少なくとも１つのセビアの装飾が含むことを特徴とする、請求項１に記載の携帯電話機のデコレーションメール用のテンプレートの作成装置。
【請求項３】
前記サンプル装飾設定部では、前記サンプルレイアウト設定部で設定された文字挿入図形としてリボン、吹き出しの少なくとも１つの図形が含むことを特徴とする、請求項１に記載の携帯電話機のデコレーションメール用のテンプレートの作成装置。
【請求項４】
さらに、文章解読部を設け、前記文章解読部は、サンプルレイアウトに挿入されないＥメール本文の入力文章に対して、キーワードを基に喜怒哀楽の感情を解読し、喜怒哀楽の感情の解読に基づいて、入力文章に対してフォントの種類、色の少なくとも１つの設定を行うことを特徴とする、請求項１に記載の携帯電話機のデコレーションメール用のテンプレートの作成装置。
【請求項５】
入力文章に、喜を表すキーワードを含む場合にはフォントの種類を明朝体にし、フォントの色を赤色にし、怒を表すキーワードを含む場合にはフォントの種類を楷書体にし、フォントの色を黒色にし、哀を表すキーワードを含む場合にはフォントの種類をゴシック体にし、フォントの色を青色にし、楽を表すキーワードを含む場合にはフォントの種類を行書体にし、フォントの色をピンク色にすることを特徴とする、請求項４に記載の携帯電話機のデコレーションメール用のテンプレートの作成装置。
【請求項６】
前記デコレーションテンプレートは、ＨＴＭＬ形式又はフラッシュ画像形式のテンプレートとして作成されることを特徴とする、請求項１に記載の携帯電話機のデコレーションメール用のテンプレートの作成装置。
【請求項７】
前記デコレーションテンプレート保存部は、前記サンプル装飾設定部で装飾した画像、写真、文字挿入図形の少なくとも１つに挿入した文字を名刺、年賀はがき、ポスティングカードの少なくとも１つを含むデコレーションテンプレートとして保存し、Ｅメールの本文として送信することを特徴とする、請求項１に記載の携帯電話機のデコレーションメール用のテンプレートの作成装置。
【請求項８】
携帯電話機のデコレーションメール用のテンプレートの作成方法において、
複数の画像、写真の少なくとも１つを保存する工程と、
Ｅメールの本文にサンプルレイアウトを設定する工程と、
保存された複数の画像、写真の少なくとも１つを選択可能に表示する工程と、
保存された複数の画像、写真から選択した画像、写真の少なくとも１つを前記サンプルレイアウトに設定する工程と、
前記サンプルレイアウトに設定された画像、写真の少なくとも１つを装飾し、さらに、サンプルレイアウトに設定された文字挿入図形に入力文章を挿入し、入力文章を図形文字に変換して装飾する工程と、
装飾した画像、写真、文字挿入図形、図形文字の少なくとも１つをデコレーションテンプレートとして保存し、Ｅメールの本文として送信する工程とを備えることを特徴とする、携帯電話機のデコレーションメール用のテンプレートの作成方法。
【請求項９】
携帯電話機のデコレーションメール用のテンプレートの作成プログラムにおいて、
複数の画像、写真の少なくとも１つを保存する手順と、
Ｅメールの本文にサンプルレイアウトを設定する手順と、
保存された複数の画像、写真の少なくとも１つを選択可能に表示する手順と、
保存された複数の画像、写真から選択した画像、写真の少なくとも１つを前記サンプルレイアウトに設定する手順と、
前記サンプルレイアウトに設定された画像、写真の少なくとも１つを装飾し、さらに、サンプルレイアウトに設定された文字挿入図形に入力文章を挿入し、入力文章を図形文字に変換して装飾する手順と、
装飾した画像、写真、文字挿入図形、図形文字の少なくとも１つをデコレーションテンプレートとして保存し、Ｅメールの本文として送信する手順とを備えることを特徴とする、携帯電話機のデコレーションメール用のテンプレートの作成プログラム。
【請求項１０】
デコレーションメール用のテンプレートを有する携帯電話機において、
複数の画像、写真の少なくとも１つを保存する画像フォルダと、
Ｅメールの本文に画像、写真、文字挿入図形、文字図形の少なくとも１つのサンプルレイアウトに設定するためのサンプルレイアウト設定部と、
前記画像フォルダから読み出し表示した複数の画像、写真から選択した画像、写真の少なくとも１つを前記サンプルレイアウトに設定する画像設定部と、
前記画像設定部でサンプルレイアウトに設定された画像、写真の少なくとも１つを装飾し、さらに、サンプルレイアウトに設定された文字挿入図形に入力文章を挿入し、サンプルレイアウトに取り込まれた入力文章を図形文字に変換して装飾するサンプル装飾設定部と、
前記サンプル装飾設定部で装飾した画像、写真、文字挿入図形、図形文字の少なくとも１つをデコレーションテンプレートとして保存し、Ｅメールの本文として送信するためのデコレーションテンプレート保存部とを備えることを特徴とする、デコレーションメール用のテンプレートを有する携帯電話機。
【発明の詳細な説明】
【技術分野】
【０００１】
本発明は携帯電話機のＥメール作成に関する。特に、本発明は、ユーザの個性追及を可能とするデコレーションメール用のテンプレート作成装置、方法、プログラム及び携帯電話機に関する。
【背景技術】
【０００２】
近年、携帯電話の普及により、メール利用者が急増し、その利用方法も多岐に渡ってきた。最近では、年賀状、ポスティングカードなども、電子メールで送付する習慣ができ始めており、メールの個性が重視されている。現在、メールの個性を重視するデコレーションメール（ＨＴＭＬメール）のテンプレートは、携帯電話にプリインストールされているか、ユーザがダウンロードして入手するかに限られている。最近の個性を追求する多くのユーザにとって、自作の絵、自分が撮った写真、自分でダウンロードした画像を使ってＥメールを送信したいというニーズが高くなっているのに対して、自作の絵、自分が撮った写真、自分でダウンロードした画像を使ってＥメールができない既存のテンプレートに対してストレスを持っているという問題がある。
【０００３】
メールの個性が重視される従来例として以下のものがある。
従来、機種やメーカに拘わり無く表示可能で、ユーザの感情やイメージを表現したメッセージを作成する携帯端末用表示データ作成装置を提供するため、携帯端末用表示データ作成装置は、携帯端末から送信されたテキストデータを解析し、解析結果、又は、パラメータ記憶部に記憶されているパラメータに基づいて、テキストデータの内容に合致した背景画像を背景画像データ記憶部の中から選択し、次に、解析結果に基づいてフォントデータ記憶部の中からテキストデータの内容に合致したフォントを選択し、選択されたフォントを用いてテキストデータを画像データに変換し、次に、背景画像、テキストデータを変換した画像データ及び携帯端末用表示データ作成装置のドメイン名を示すデータに基づいて携帯端末用画像を作成し、作成された携帯端末用画像をテキストデータの送信元の携帯端末に送信するものがある（例えば、特許文献１参照）。
【０００４】
しかしながら、上記特許文献１では、携帯端末から送信されたテキストデータを解析し、ユーザの感情やイメージを表現したメッセージを作成するが、最近の個性を追求する多くのユーザにとって、自作の絵、自分が撮った写真、自分でダウンロードした画像を使ってＥメールを送信したいというニーズに答えるものではない。
【０００５】
【特許文献１】特開２００５−２４２７９０号公報
【発明の開示】
【発明が解決しようとする課題】
【０００６】
したがって、本発明は上記問題点に鑑みて、自作の絵、自分が撮った写真、自分でダウンロードした画像を使ってＥメールの送信を可能とするデコレーションメール用のテンプレート作成装置、方法、プログラム及び携帯電話機を提供することを目的とする。
【課題を解決するための手段】
【０００７】
本発明は前記問題点を解決するために、携帯電話機のデコレーションメール用のテンプレートの作成装置において、複数の画像、写真の少なくとも１つを保存する画像フォルダと、Ｅメールの本文に画像、写真、文字挿入図形、文字図形の少なくとも１つのサンプルレイアウトを設定するためのサンプルレイアウト設定部と、前記画像フォルダから読み出し表示した複数の画像、写真から選択した画像、写真の少なくとも１つを前記サンプルレイアウトに設定する画像設定部と、前記画像設定部でサンプルレイアウトに設定された画像、写真の少なくとも１つを装飾し、さらに、サンプルレイアウトに設定された文字挿入図形に入力文章を挿入し、サンプルレイアウトに取り込まれた入力文章を図形文字に変換して装飾するサンプル装飾設定部と、前記サンプル装飾設定部で装飾した画像、写真、文字挿入図形、図形文字の少なくとも１つをデコレーションテンプレートとして保存し、Ｅメールの本文として送信するためのデコレーションテンプレート保存部とを備えることを特徴とする、携帯電話機のデコレーションメール用のテンプレートの作成装置を提供する。
【０００８】
さらに、前記サンプル装飾設定部では、前記画像設定部で設定された画像、写真の少なくとも１つの装飾として額縁の装飾、円形、五角形、球面の少なくとも１つを含む変形の装飾、写真の少なくとも１つのセビアの装飾が含む。
さらに、前記サンプル装飾設定部では、前記サンプルレイアウト設定部で設定された文字挿入図形としてリボン、吹き出しの少なくとも１つの図形が含む。
さらに、文章解読部を設け、前記文章解読部は、サンプルレイアウトに挿入されないＥメール本文の入力文章に対して、キーワードを基に喜怒哀楽の感情を解読し、喜怒哀楽の感情の解読に基づいて、入力文章に対してフォントの種類、色の少なくとも１つの設定を行う。
【０００９】
さらに、入力文章に、喜を表すキーワードを含む場合にはフォントの種類を明朝体にし、フォントの色を赤色にし、怒を表すキーワードを含む場合にはフォントの種類を楷書体にし、フォントの色を黒色にし、哀を表すキーワードを含む場合にはフォントの種類をゴシック体にし、フォントの色を青色にし、楽を表すキーワードを含む場合にはフォントの種類を行書体にし、フォントの色をピンク色にする。
【００１０】
さらに、前記デコレーションテンプレートは、ＨＴＭＬ形式又はフラッシュ画像形式のテンプレートとして作成される。
さらに、前記デコレーションテンプレート保存部は、前記サンプル装飾設定部で装飾した画像、写真、文字挿入図形の少なくとも１つに挿入した文字を名刺、年賀はがき、ポスティングカードの少なくとも１つを含むデコレーションテンプレートとして保存し、Ｅメールの本文として送信する。
【００１１】
さらに、本発明は、携帯電話機のデコレーションメール用のテンプレートの作成方法において、複数の画像、写真の少なくとも１つを保存する工程と、Ｅメールの本文にサンプルレイアウトを設定する工程と、保存された複数の画像、写真の少なくとも１つを選択可能に表示する工程と、保存された複数の画像、写真から選択した画像、写真の少なくとも１つを前記サンプルレイアウトに設定する工程と、前記サンプルレイアウトに設定された画像、写真の少なくとも１つを装飾し、さらに、サンプルレイアウトに設定された文字挿入図形に入力文章を挿入し、入力文章を図形文字に変換して装飾する工程と、装飾した画像、写真、文字挿入図形、図形文字の少なくとも１つをデコレーションテンプレートとして保存し、Ｅメールの本文として送信する工程とを備えることを特徴とする、携帯電話機のデコレーションメール用のテンプレートの作成方法を提供する。
【００１２】
さらに、本発明は、携帯電話機のデコレーションメール用のテンプレートの作成プログラムにおいて、複数の画像、写真の少なくとも１つを保存する手順と、
Ｅメールの本文にサンプルレイアウトを設定する手順と、保存された複数の画像、写真の少なくとも１つを選択可能に表示する手順と、保存された複数の画像、写真から選択した画像、写真の少なくとも１つを前記サンプルレイアウトに設定する手順と、前記サンプルレイアウトに設定された画像、写真の少なくとも１つを装飾し、さらに、サンプルレイアウトに設定された文字挿入図形に入力文章を挿入し、入力文章を図形文字に変換して装飾する手順と、装飾した画像、写真、文字挿入図形、図形文字の少なくとも１つをデコレーションテンプレートとして保存し、Ｅメールの本文として送信する手順とを備えることを特徴とする、携帯電話機のデコレーションメール用のテンプレートの作成プログラムを提供する。
【００１３】
さらに、本発明は、デコレーションメール用のテンプレートを有する携帯電話機において、複数の画像、写真の少なくとも１つを保存する画像フォルダと、Ｅメールの本文に画像、写真、文字挿入図形、文字図形の少なくとも１つのサンプルレイアウトを設定するためのサンプルレイアウト設定部と、前記画像フォルダから読み出し表示した複数の画像、写真から選択した画像、写真の少なくとも１つを前記サンプルレイアウトに設定する画像設定部と、前記画像設定部でサンプルレイアウトに設定された画像、写真の少なくとも１つを装飾し、さらに、サンプルレイアウトに設定された文字挿入図形に入力文章を挿入し、サンプルレイアウトに取り込まれた入力文章を図形文字に変換して装飾するサンプル装飾設定部と、前記サンプル装飾設定部で装飾した画像、写真、文字挿入図形、図形文字の少なくとも１つをデコレーションテンプレートとして保存し、Ｅメールの本文として送信するためのデコレーションテンプレート保存部とを備えることを特徴とする、デコレーションメール用のテンプレートを有する携帯電話機を提供する。
【発明の効果】
【００１４】
以上説明したように、本発明によれば、複数の画像、写真を保存し、Ｅメールの本文にサンプルレイアウトを設定し、保存された複数の画像、写真を選択可能に表示し、保存された複数の画像、写真から選択した画像、写真をサンプルレイアウトに設定し、サンプルレイアウトに設定された画像、写真を装飾し、さらに、サンプルレイアウトに設定された文字挿入図形に入力文章を挿入し、入力文章を図形文字に変換して装飾し、装飾した画像、写真、文字挿入図形、図形文字をデコレーションテンプレートとして保存し、Ｅメールの本文として送信するようにしたので、自作の絵、自分が撮った写真、自分でダウンロードした画像を使ってメールの送信が可能となり、表現方法が増えＥメールの活用範囲が広がるので訴求効果があり、難しい操作がないレイアウト作成ツールにより簡単に自作テンプレートが作成でき、携帯電話機の画面サイズなどを考慮することなく画像の加工などが簡単にできるようになる。
【００１５】
さらに、デコレーションテンプレートは、ＨＴＭＬ形式又はフラッシュ画像形式のテンプレートとして作成されるようにしたので、形式を自由に選択可能となる。
さらに、デコレーションテンプレート保存部は、サンプル装飾設定部で装飾した画像、写真、文字挿入図形に挿入した文字を名刺、年賀はがき、ポスティングカードを含むデコレーションテンプレートとして保存し、Ｅメールの本文として送信するようにしたので、ペーパーレスによる環境問題への配慮が可能となる。
【発明を実施するための最良の形態】
【００１６】
以下、本発明の実施の形態について図面を参照して説明する。
図１は本発明に係る携帯電話機の制御部の概略構成を示すブロック図である。本図に示すように、携帯電話機の制御部１００は携帯電話機の全体を制御するプログラムを有し、携帯電話機の制御部１００には送受信部１０１が設けられ、送受信部１０１は音声の送受信、データ送受信の制御機能を有する。
【００１７】
さらに、携帯電話機の制御部１００には入力部１０２が設けられ、入力部１０２はＥメールの文章入力、機能選択等の制御機能を有する。
さらに、携帯電話機の制御部１００には表示部１０３が設けられ、表示部１０３は画像表示、文章表示、機能表示の制御機能を有する。
さらに、携帯電話機の制御部１００にはデータ保存部１０４が設けられ、データ保存部１０４は携帯電話機に使用されるデータを保存する制御機能を有し、特に、画像フォルダ１０４Ａ、サンプルレイアウト情報保存部１０４Ｂ、装飾情報保存部１０４Ｃ、デコレーションテンプレート保存部１０４Ｄを有する。
【００１８】
画像フォルダ１０４Ａは、ユーザが自作した画像、ユーザが取った写真、ユーザがダウンロードした画像を保存する制御機能を有する。
サンプルレイアウト情報保存部１０４Ｂは、Ｅメールの本文にユーザが保存した画像、写真、入力した文章に関する文字挿入図形、図形文字を貼り付けるサンプルレイアウト情報を保存する制御機能を有する。
【００１９】
装飾情報保存部１０４Ｃは、貼り付けられた画像、写真、挿入された文章を装飾する情報を保存する制御機能を有する。
デコレーションテンプレート保存部１０４Ｄは携帯電話機の画面に出力可能なように画像、写真、文章を装飾し合成された複数種類のパターンのデコレーションテンプレートを保存する。
【００２０】
さらに、携帯電話機の制御部１００にはＥメール部１０５が設けられ、Ｅメール部１０５は送受信されたＥメールの処理を行う制御機能を有し、特に、自動テンプレート作成部１０５Ａを有する。
自動テンプレート作成部１０５Ａはグラフィカルな要素をポインティングデバイスで操作するＧＵＩ（Ｇｒａｐｈｉｃａｌ  Ｕｓｅｒ  Ｉｎｔｅｒｆａｃｅ）機能を有し、入力された文章、画像を解釈し、装飾したデコレーションメールのテンプレートを作成する制御機能を有する。
【００２１】
図２は図１におけるデータ保存部１０４の画像フォルダ１０４Ａに保存される写真、画像等を説明する図である。本図に示すように、画像フォルダ１０４Ａには自分が撮った写真、ダウンロードした画像、自作の絵等が複数保存され、携帯電話機に搭載されているカメラで撮った写真、又は、他のカメラで撮って自分の携帯電話機に転送した写真を含み、例えば、家族、友人の写真、風景、建物、動物、植物等の写真、画像が含まれる。
【００２２】
図３は図１におけるデータ保存部１０４のサンプルレイアウト情報保存部１０４Ｂに保存されるサンプルレイアウト情報を説明する図である。本図に示すように、サンプルレイアウト情報保存部１０４Ｂには携帯電話機のＥメールの本文１２０に画像、写真、文章に関する文字挿入図形、図形文字を貼り付けるサンプルレイアウト１２０Ａのサンプルレイアウト情報が保存される。
図４は図１におけるデータ保存部１０４の装飾情報保存部１０４Ｃに保存される装飾情報を説明する図である。本図に示すように、装飾情報保存部１０４Ｃには文字装飾の情報、画像・写真装飾の情報が保存され、文字装飾の情報には複数のフォント情報、複数の図形文字情報、リボン、吹き出し等を含む複数の文字挿入図形が含まれ、画像・写真装飾の情報には複数の額縁情報、円形、五角形、球面を含む複数の変形情報、写真装飾のセピア情報が含まれる。
【００２３】
図５は図４における文字装飾のフォント情報を説明する図である。本図に示すように、図４の文字装飾のフォント情報は、喜怒哀楽の感情を表すキーワードでフォントの装飾を分類する情報である。一例として、入力したＥメールの文章に、結婚、誕生、入学、卒業、時候の挨拶のように喜の意味を表すキーワードが含まれる場合にはフォントの種類を明朝体にし、フォントの色を赤色にし、さらに、入力したＥメールの文章に盗難、いじめ、うそのような怒の意味を表すキーワードが含まれる場合にはフォントの種類を楷書体にし、フォントの色を黒色にし、さらに、病気、離別、事故、災害のように哀の意味を表すキーラードが含まれる場合にはフォントの種類をゴシック体にし、フォントの色を青色にし、旅行、映画鑑賞、買い物、レストランのような楽の意味を表すキーワードが含まれる場合にはフォントの種類を行書体にし、フォントの色をピンク色にするようにフォントの装飾の分類が行われる。
【００２４】
図６は図４における図形文字情報を説明する図である。本図に示すように、図４の図形文字情報は、入力したＥメールの文章の一部の文字を複数の形態の図形文字に変化させ、かつ、図形文字の大きさ、着色を調整可能とする文字装飾情報である。
図７は図４における文字挿入図形の情報を説明する図である。本図に示すように、図４の文字挿入図形情報は、例えば、リボン、吹き出し形状で大きさ、着色を調整可能とし、リボン、吹き出し形状の内部に文字を入力可能とする文字装飾情報である。
【００２５】
図８は図１における自動テンプレート作成部１０５Ａの概略構成を示すブロック図である。本図に示すように、自動テンプレート作成部１０５Ａにはサンプルレイアウト設定部２０１、画像・文章設定部２０２、サンプル装飾設定部２０３、文章解読部２０４が設けられる。
サンプルレイアウト設定部２０１は表示部１０３にデータ保存部１０４のサンプルレイアウト情報保存部１０４ＢからＥメールの本文にサンプルレイアウトを設定し表示する。
【００２６】
画像設定部２０２は、表示部１０３にデータ保存部１０４の画像フォルダ１０４Ａから読み出し写真、画像をサムネイルなどで複数表示し、選択確認させ、複数の写真、画像を選択可能にし、選択された画像、写真の種類を解析し、画像、写真サイズをチェックし、画像、写真の総サイズがサンプルレイアウト設定部２０１で設定された携帯電話機のＥメールのサンプルレイアウトのサイズよりも大きい場合、適正なサイズに縮小させ、適正サイズに調整した画像、写真を、サンプルレイアウトに当てはめ、画像、写真を設定する。
【００２７】
サンプル装飾設定部２０３は、画像設定部２０２によりサンプルレイアウトに当てはめられた画像、写真に対して、データ保存部１０４の装飾情報保存部１０４Ｃから読み出した額縁情報、変形情報、セピア情報を選択確認させ設定し、さらに、サンプルレイアウト設定部２０１により設定されたサンプルレイアウトに入力部１０２より取り込まれた文字を図形文字に変換し、さらに、サンプルレイアウトに文字挿入図形を設定し文字挿入図形に入力部１０２より取り込まれた文字を挿入しサンプル装飾を設定する。
【００２８】
文章解読部２０４は、サンプルレイアウトに挿入されないＥメール本文の文章に対して、装飾情報保存部１０４Ｃに保存されるフォント情報を基に、喜怒哀楽の感情を解読し、フォントの種類、色の設定を行う。
このようにして、自動テンプレート作成部１０５Ａにより形成されたデコレーションＥメールをデコレーションテンプレートとして、データ保存部１０４のデコレーションテンプレート保存部１０４Ｄに保存され、次回のＥメールの作成時に参考として使用される。
【００２９】
図９は図１における自動テンプレート作成部１０５Ａの動作例を説明するフローチャートである。本図に示すように、ステップＳ３０１において、サンプルレイアウト設定部２０１により画像、写真、文字挿入図形、文字図形のサンプルレイアウトが設定されたか否かを判断する。設定されない場合にはステップＳ３０８に進む。データ保存部１０４のサンプルレイアウト情報保存部１０４Ｂからサンプルレイアウトが設定された場合には、設定されたサンプルレイアウトを表示部１０３に表示する。
【００３０】
ステップＳ３０２において、サンプルレイアウトが設定された場合には、画像設定部２０２からの画像表示要求に対して表示部１０３に画像フォルダ１０４Ａに保存されている画像、写真をサムネイルで選択可能に表示する。
ステップＳ３０３において、画像設定部２０２では選択された画像、写真を設定されたサンプルレイアウトに当てはめる。
【００３１】
ステップＳ３０４において、サンプル装飾設定部２０３により、サンプルレイアウトに当てはめられた画像、写真の装飾を行う。
ステップＳ３０５において、サンプルレイアウトに入力された文章をサンプル装飾設定部２０３により、図形文字に変換し文字の装飾を行い、又は、サンプルエリアに当てはめられた文字挿入図形に文字を挿入し装飾を行う。
【００３２】
ステップＳ３０６において、装飾された画像、写真、装飾された文字をデコレーションテンプレートとしてデコレーションテンプレート保存部１０４Ｄに保存する。
ステップＳ３０７において、装飾された画像、写真、装飾された文字をＥメールの本文としてＥメールの送信を行い、処理を終了する。
ステップＳ３０８において、入力された文章に対して、サンプルレイアウトに挿入されないＥメール本文の文章に対して、装飾情報保存部１０４Ｃに保存されるキーワードを基に文章解読部２０４により喜怒哀楽の感情を解読する。
【００３３】
ステップＳ３０９において、喜怒哀楽の感情の解読に基づいて、入力文章に対してフォントの種類、色の設定を行い、ステップＳ３０７に進む。
図１０は図１における自動テンプレート作成部１０５Ａの具体的な動作例を説明する図である。本図（ａ）に示すように、サンプルレイアウト設定部２０１によりＥメールの本文にサンプルレイアウトが設定され表示部１０３に表示される。
【００３４】
本図（ｂ）、（ｃ）に示すように、画像設定部２０２により、画像フォルダ１０４Ａから画像、写真が読み出され、サムネイルで表示部１０３に選択可能に表示される。
本図（ｄ）に示すように、入力部１０２によりＥメールに文章入力が行われる。この場合、「あけましてオメデトウ  今年もよろしくね！」という文章が入力されたとする。
本図（ｅ）に示すように、画像として星付きのブタが選択され、文字挿入図形としてリボン、吹き出しが選択されたとする。ここでは、文字挿入図形のリボンがＥメールのトップに位置し、見出し的な役割を果たす。文字挿入図形の吹き出しは画像ブタのメッセージの役割を果たします。文字挿入図形のリボンには「あけましてオメデトウ」の文章が挿入される。文字挿入図形の吹き出しには「今年もよろしくね！」が挿入される。
【００３５】
ブタの画像は着色可能であり、文字挿入図形のリボン、吹き出しも着色可能である。
また、挿入する文章のフォントの種類、色も調整可能である。
このようにして、作成したＥメールをデコレーションテンプレートとして画像フォルダ１０４Ａに保存される。
本図（f）に示すように、あて先、件名を入力して、Ｅメールの本文にデコレーションテンプレート保存部１０４Ｄからデコレーションテンプレートを読み出し、Ｅメールの送信が可能になる。
図１１は図１０の変形例である。本図（ｅ）に示すように、図１０の文字挿入図形に対して、入力文章を図形文字にしてもよい。なお、図１０、図１１の例では、文字挿入図形と図形文字を別々に設けたが、一緒に設けてもよい。
【００３６】
したがって、本発明によれば、自作の絵、自分が撮った写真、自分でダウンロードした画像を使ってメールの送信が可能となり、表現方法が増えＥメールの活用範囲が広がるので訴求効果があり、難しい操作がないレイアウト作成のツールにより簡単に自作テンプレートが作成でき、携帯電話機の画面サイズなどを考慮することなく画像の加工などが簡単にできるようになる。
【実施例１】
【００３７】
自動テンプレート作成部１０５Ａにより作成されるデコレーションテンプレートは、ＨＴＭＬ形式のテンプレートとして、さらには、フラッシュ画像形式のテンプレートとして作成されるようにしてもよい。これにより、形式を自由に選択可能となる。
【実施例２】
【００３８】
以上の説明では、Ｅメールの作成としたが、これに限らず、ビジネスで利用可能な電子名刺、年賀はがき、ポスティングカードの作成にも適用可能である。紙で配布されていた名刺、年賀はがき、ポスティングカードなどを電子化してＥメールで配布するなどの訴求効果があり、ペーパーレスによる環境問題への配慮が可能となる。
【産業上の利用可能性】
【００３９】
以上の説明では、携帯電話機としたが、これに限らず、ＰＤＡ（携帯情報端末）、ＰＨＳ（簡易型携帯電話）にも適用可能である。
【図面の簡単な説明】
【００４０】
【図１】本発明に係る携帯電話機の制御部の概略構成を示すブロック図である。
【図２】図１におけるデータ保存部１０４の画像フォルダ１０４Ａに保存される写真、画像等を説明する図である。
【図３】図１におけるデータ保存部１０４のサンプルレイアウト情報保存部１０４Ｂに保存されるサンプルレイアウト情報を説明する図である。
【図４】図１におけるデータ保存部１０４の装飾情報保存部１０４Ｃに保存される装飾情報を説明する図である。
【図５】図４における文字装飾のフォント情報を説明する図である。
【図６】図４における図形文字情報を説明する図である。
【図７】図４における文字挿入図形の情報を説明する図である。
【図８】図１における自動テンプレート作成部１０５Ａの概略構成を示すブロック図である。
【図９】図１における自動テンプレート作成部１０５Ａの動作例を説明するフローチャートである。
【図１０】図１における自動テンプレート作成部１０５Ａの具体的な動作例を説明する図である。
【図１１】図１０の変形例である。
【符号の説明】
【００４１】
１００…携帯電話機の制御部
１０１…送受信部
１０２…入力部
１０３…表示部
１０４…データ保存部
１０４Ａ…画像フォルダ
１０４Ｂ…サンプルレイアウト情報保存部
１０４Ｃ…装飾情報保存部
１０４Ｄ…デコレーションテンプレート保存部
１０５…Ｅメール部
１０５Ａ…自動テンプレート作成部
２０１…サンプルレイアウト設定部
２０２…画像設定部
２０３…サンプル装飾設定部
２０４…文章解読部
【図１】
0004953009.tif 000002
【図２】
0004953009.tif 000003
【図３】
0004953009.tif 000004
【図４】
0004953009.tif 000005
【図５】
0004953009.tif 000006
【図６】
0004953009.tif 000007
【図７】
0004953009.tif 000008
【図８】
0004953009.tif 000009
【図９】
0004953009.tif 000010
【図１０】
0004953009.tif 000011
【図１１】
0004953009.tif 000012